(57)【要約】【課題】ラインが組み合わされるフィールドのシーケンスのフィールドの中間ラインの画点を補間する改良方法を提供する。【解決手段】第１、第２、および第３の画像情報値（Ｌ０，Ｌ１，Ｌ２）を混合し、そのために、第１の画像情報値（Ｌ０）を第１の重みづけ係数（Ｋ０）と、第２の情報値（Ｌ１）を第２の重みづけ係数（Ｋ１）と、および第３の画像情報値（Ｌ１）を第３の重みづけ係数（Ｋ１）とそれぞれ乗算して、重みづけされた画像情報値を加算し、それによって中間ラインの画点（Ｐｘ）の画像情報値（Ｌｘ）を算出する。【選択図】　　　　図３
2004056820.tif 000002
【特許請求の範囲】
【請求項１】
　ラインが組み合わされるフィールド（Ａ，Ｂ）のシーケンスの第１フィールドの中間ラインの画素（Ｐｘ）を補間する方法において、次の各方法ステップ;
−第１フィールド（Ａ）で中間ラインの上側に位置する画像ライン（Ａ１）の、第１の画像情報値（Ｌ０）が割り当てられた少なくとも１つの第１の画素（Ｐ０）と、第１フィールド（Ａ）で中間ラインの下側に位置する画像ライン（Ａ２）の、第２の画像情報値（Ｌ２）が割り当てられた少なくとも１つの第２の画素（Ｐ２）とを選択し、
−補間されるべき画素（Ｐｘ）の画像ラインの位置に垂直位置が相当している画像ライン（Ｂ２）に由来する、第３の画像情報値（Ｌ１）が割り当てられた少なくとも１つの第３の画素（Ｐ１）を第２フィールド（Ｂ）から選択し、
−第１および第２の画像情報値（Ｌ０，Ｌ２）によって与えられるインターバルを求め、
−インターバル限界を基準とする第３の画像情報値（Ｌ１）の位置を求め、
−第１、第２、および第３の画像情報値（Ｌ０，Ｌ１，Ｌ２）を混合し、そのために、第１の画像情報値（Ｌ０）を第１の重みづけ係数（Ｋ０）と、第２の情報値（Ｌ２）を第２の重みづけ係数（Ｋ２）と、および第３の画像情報値（Ｌ１）を第３の重みづけ係数（Ｋ１）とそれぞれ乗算して、重みづけされた画像情報値を加算し、それによって中間ラインの画素（Ｐｘ）の画像情報値（Ｌｘ）を算出し、このとき第３の重みづけ係数（Ｋ１）の値は、第３の画像情報値（Ｌ１）からインターバル限界までの数学的距離に依存しており、重みづけ係数（Ｋ０，Ｋ１，Ｋ２）は、補間されるべき画素の画像情報値がインターバル限界の範囲内に位置するように選択されるものである、
各ステップを有することを特徴とする方法。
【請求項２】
　第３の画像情報値（Ｌ１）が前記インターバルの範囲外に位置しているときは、第３の重みづけ係数（Ｋ１）が、もっとも近いインターバル限界との距離が増えるにつれて減少する、請求項１に記載の方法。
【請求項３】
　第３の画像情報値（Ｌ１）が前記インターバルの範囲外に位置しているときは、第３の重みづけ係数（Ｋ１）が、もっとも近いインターバル限界との距離に比例して減少する、請求項２に記載の方法。
【請求項４】
　第１および第２の重みづけ係数（Ｋ０，Ｋ２）が等しい大きさである、請求項１または２に記載の方法。
【請求項５】
　もっとも近いインターバル限界との数学的距離が、インターバル幅に標準化された値を上回っているときは、第３の重みづけ係数（Ｋ１）をゼロに設定する、請求項１乃至４のいずれか１項に記載の方法。
【請求項６】
　もっとも近いインターバル限界との数学的距離が、インターバル幅の２倍以上であるときは、第３の重みづけ係数（Ｋ１）をゼロに設定する、請求項５に記載の方法。
【請求項７】
　第３の画像情報値（Ｌ１）が前記インターバルの範囲内に位置しているときは、第１、第２、および第３の重みづけ係数（Ｋ０，Ｋ１，Ｋ２）を等しい大きさにする、請求項１乃至６のいずれか１項に記載の方法。
【請求項８】
　第３の画像情報値（Ｌ１）が前記インターバルの範囲内に位置しているときは、第３の重みづけ係数（Ｋ１）の値が、インターバルの中心（Ｍ）との距離が減るにつれて増大する、請求項１乃至６のいずれか１項に記載の方法。
【請求項９】
　第３の画像情報値（Ｌ１）が前記インターバルの範囲内に位置しているときは、第３の重みづけ係数（Ｋ１）を１に設定する、請求項１乃至６のいずれか１項に記載の方法。
【請求項１０】
　第３の画像情報値（Ｌ１）から前記インターバルの中心（Ｍ）までの数学的距離が、インターバル幅に標準化された所定の値よりも小さいときは、第３の重みづけ係数（Ｋ１）を１に設定する、請求項１乃至６のいずれか１項に記載の方法。
【請求項１１】
　第３の画像情報値（Ｌ１）から前記インターバルの中心（Ｍ）までの数学的距離が、インターバル幅の４分の１よりも小さいときは、第３の重みづけ係数（Ｋ１）を１に設定する、請求項９に記載の方法。
【請求項１２】
　まず、第１の画像情報値と第２の画像情報値から中間値を生成し、そのために、第１の画像情報値（Ｌ０）を第１の重みづけ係数（Ｋ０）と、第２の画像情報値（Ｌ２）を第２の重みづけ係数（Ｋ２）とそれぞれ乗算して、重みづけされた画像情報値を加算し、次いで、補間されるべき画素（Ｐｘ）の画像情報を生成するために、この中間値（Ｌｚ）と第３の画像情報値（Ｌ１）とを重みづけし、重みづけされた中間値と、重みづけされた第３の画像情報値とを加算することによって、中間値（Ｌｚ）を第３の画像情報値（Ｌ１）と混合し、このとき第３の画像情報値（Ｌ１）の重みづけ係数は、インターバル限界または中間値（Ｌｚ）との数学的距離に依存して決める、請求項１乃至１１のいずれか１項に記載の方法。
【請求項１３】
　第３の画素（Ｌ１）の重みづけ係数が中間値との数学的距離に依存している、請求項１２に記載の方法。
【請求項１４】
　出力信号値と補間された中間値とを有する信号シーケンスを処理する方法であって、
　それぞれ２つの出力信号値に１つの中間値が割り当てられ、
　次の各方法ステップ;
−出力信号値によって与えられるインターバルを求め、
−インターバル限界を基準として中間値の位置を求め、
−出力信号値と中間値を混合し、そのために、出力信号値の一方を第１の重みづけ係数と、出力信号値の他方を第２の重みづけ係数と、中間値を第３の重みづけ係数とそれぞれ乗算して、重みづけされた画像情報値を加算し、それによって補間された中間値を算出し、このとき第３の重みづけ係数の値は、中間値からインターバル限界までの数学的距離に依存しているとともに、補間されるべき中間値の値がインターバル限界の範囲内に位置するように選択される、
各ステップを有する方法。
【発明の詳細な説明】
【技術分野】
【０００１】
　本発明は、ラインが組み合わされるフィールドのシーケンスの第１フィールドの中間ラインの画素（又は画点）を補間する方法に関する。
【背景技術】
【０００２】
　テレビ信号には、通常、スクリーンに表示される時間的に連続するフィールドについての情報が含まれており、それぞれ２つの連続するフィールドのラインが組み合わされており（インターレス化されており）、すなわち、各々のフィールドは１つおきの画像ラインの画像情報しか含んでおらず、一方のフィールドに画像情報が存在している画像ラインは、それぞれ他方のフィールドでは空所になっている。
【０００３】
　図１は、このような種類の連続するフィールドＡおよびＢを模式的に示しており、この場合、第１フィールドＡは画像ラインＡ１，Ａ２，Ａ３およびＡ４を有しており、これらの画像ラインについて、受信される画像信号が画像情報を含んでいるのに対して、フィールドＢは画像ラインＢ１，Ｂ２，Ｂ３，Ｂ４を有しており、これらの画像ラインについて、受信される画像信号が画像情報を含んでおり、フィールドＡおよびＢの走査位置は、フィールドＢの画像ラインの位置がちょうどフィールドＡの空いている中間ラインの位置に相当し、またこの逆も成り立つように、相互にオフセットされている。
【０００４】
　画質を向上させるために、フィールドのシーケンスを有する画像信号を表示するにあたって、フレームすなわち空所の中間ラインが存在していない画像を生成するのが望ましい場合が多い。
【０００５】
　ＥＰ０１９２２９２Ｂ１では、フィールドの中間ラインの画素を補間するために、画素が補間されるべきフィールドから２つの画素を選択し、すなわち、補間されるべき画素の上側にある画像ラインの１つの画素と、補間されるべき画素の下側にある画像ラインの１つの画素とを選択することが提案されており、この場合、選択された画素の水平方向の位置は、補間されるべき画素の水平方向の位置に相当している。さらに、時間的に後続するフィールドから、垂直方向の位置が補間されるべき画素の画像ラインの位置に相当している画像ラインから１つの画素が選択され、この場合、選択される画素の水平方向の位置は、同じく、補間されるべき画素の水平方向の位置に相当している。この公知の方法では、これら３つの画素の画像情報の平均値（通常は明度値ないし輝度値の平均値）が求められ、補間されるべき画素について、この求められた平均値に画像情報値がもっとも近い画素の画像情報が選択される。つまり、第２フィールドの画素が補間のために援用されるのは、その画素の画像情報値が、補間されるべき中間点を含むフィールドの各画素の画像情報値の間に位置している場合である。そうでない場合には、補間されるべき画素の隣接するラインに由来する画素の１つの画像情報が選択されるので、この値が２倍になり、すなわわち相上下して２回表示されることになる。しかしながら、このような画素の単なる反復は、垂直方向の移行が激しい場合には位置の正しくない表示につながり、このような現象は、特に画像中で対角線上を延びるエッジに現われる。
【発明の開示】
【発明が解決しようとする課題】
【０００６】
　したがって本発明の目的は、ラインが組み合わされるフィールドのシーケンスのフィールドの中間ラインの画素を補間する、改良された方法を提供することにある。
【課題を解決するための手段】
【０００７】
　この目的は、請求項１に記載の方法によって達成される。本発明の有利な実施形態は、従属請求項の対象となっている。
　ラインが組み合わされるフィールドのシーケンスのフィールドの中間ラインの画素を補間する本発明の方法では、第１フィールドで中間ラインの上側に位置する画像ラインの少なくとも１つの第１の画素と、第１フィールドで中間ラインの下側に位置する画像ラインの少なくとも１つの第２の画素とを選択し、ならびに、補間されるべき画素の中間ラインの位置に垂直位置が相当している画像ラインに由来する少なくとも１つの第３の画素を、第１フィールドに時間的に特に後続する第２フィールドから選択することが意図される。次いで、第１および第２の画素の画像情報によって与えられるインターバルと、インターバル限界を基準とする第３の画素の画像情報値の位置とを求める。次いで、第１、第２、および第３の画素の画像情報値を混合し、そのために、第１の画像情報値を第１の重みづけ係数と、第２の情報値を第２の重みづけ係数と、および第３の画像情報値を第３の重みづけ係数とそれぞれ乗算して、重みづけされた画像情報値を加算し、このとき第３の重みづけ係数の値は、第３の情報値から、もっとも近いインターバル限界までの数学的距離に依存して決まる。
【０００８】
　第３の情報値が、第１および第２の画像情報値によって与えられるインターバルの範囲外に位置している場合、第３の重みづけ係数は、もっとも近いインターバル限界との数学的距離が増えるにつれて減少するのが好ましい。それに応じて、第３の画像情報値が上記インターバルの範囲内に位置している場合には、第３の重みづけ係数は、インターバルの中心との数学的距離が減るにつれて増加し、この場合、重みづけ係数の増加ないし減少は、もっとも近いインターバル限界ないしインターバルの中心との距離の逆数に比例するのが好ましい。
【０００９】
　第１および第２の画素の画像情報値に対する、第１および第２の重みづけ係数は、等しい大きさであるのが好ましい。
【００１０】
　本発明による方法の１つの実施形態では、第１および第２の画素の画像情報値によって規定されるインターバルのもっとも近いインターバル限界までの数学的距離が、インターバル幅に標準化された限界値を上回っているときは、第３の重みづけ係数をゼロに設定することが意図され、この限界値は、本発明の一実施形態では、インターバル幅またはインターバル幅の２倍に相当している。
【００１１】
　第３の画像情報値がインターバルの範囲内に位置している場合、１つの実施形態では、第３の重みづけ係数を１に設定することが意図される。別の実施形態は、インターバルの中心との数学的距離が、インターバル幅に標準化された所定の値よりも小さい場合に初めて、第３の重みづけ係数を１に設定することを意図しており、この限界値はインターバル幅の４分の１以下に相当するのが好ましい。
【００１２】
　別の実施形態は、第３の画像情報値が所定のインターバルの範囲内に位置している場合には、第１、第２、および第３の重みづけ係数を等しい大きさに選択することを意図している。
【００１３】
　本発明による１つの実施形態は、３つの画像情報値の混合を２段階で実施することを意図しており、この場合、第１段階では第１および第２の画素の画像情報値を混合し、その際には、これらの画像情報値をたとえば均等に重みづけし、第２段階では、第１および第２の画像情報値の混合によって得られた中間値を第３の画像情報値と混合し、第３の画像情報値の重みづけ係数は、インターバル限界との数学的距離に依存して決まる。中間値の重みづけ係数については、第２段階での混合のとき、この重みづけ係数は１と、第３の重みづけ係数との差に相当する。
　第３の重みづけ係数を選択するときは、第３の画素から中間値までの数学的距離を追加的に考慮するのが好ましい。
【発明を実施するための最良の形態】
【００１４】
　次に、図面を参照しながら本発明について詳しく説明する。
　各図面では、別途の断りがない限り、同じ符号は同じ意義をもつ同じ部分を表している。
【００１５】
　図１に模式的に示すフィールドＡの中間ラインの画素Ｐｘを補間する本発明の方法は、本発明によれば、中間ラインの画素Ｐｘが補間されるべきフィールドＡで、第１の画素Ｐ０と第２の画素Ｐ２を選択することを含んでいる。第１の画素Ｐ０は、補間されるべき画素Ｐｘの中間ラインの上側にある画像ラインＡ２に位置しており、第２の画素Ｐ２は、補間されるべき画素Ｐｘを含む画像ラインの下側に位置しており、第１および第２の画素Ｐ０，Ｐ２の水平位置は、補間されるべき画素Ｐｘの水平位置に相当している。さらに、好ましくはフィールドＡよりも時間的に後続または先行する、同じく図１に模式的に示すフィールドＢから、フィールドＡの補間されるべき画素Ｐｘを含む中間ラインの位置に垂直位置が相当する画像ラインＢ２に由来する画素Ｐ１が選択され、第２フィールドＢで選択される第３の画素Ｐ１の水平位置は、補間されるべき画素Ｐｘの水平位置に相当している。
【００１６】
　これらの画素Ｐ０，Ｐ１，Ｐ２の各々に、たとえば明度値や輝度値などの画像情報値Ｌ０，Ｌ１，Ｌ２が割り当てられている。これらの画像情報値Ｌ０，Ｌ１，Ｌ２は、図２の中で、画像情報値スケールＬに上方に向かってプロットされており、ここでは画像情報値が明度値の場合において、一例として０から２５５までの値をとることができる。
【００１７】
　図２で選択している例では、画像情報値Ｌ０，Ｌ１，Ｌ２はそれぞれ違った大きさであり、画素Ｐ１の画像情報値Ｌ１は、第１の画像情報値Ｌ０と第２の画像情報値Ｌ２によって規定されるインターバルの範囲外に位置している。
【００１８】
　本発明によれば、補間されるべき中間点Ｐｘの画像情報値を生成するために、選択した画素Ｐ０，Ｐ１，Ｐ２の画像情報値にそれぞれ重みづけ係数Ｋ０，Ｋ１，Ｋ２を乗算し、それによって重みづけされた画像情報値を加算することが意図され、すなわち次式が成り立つ：
Ｌｘ＝Ｋ０・Ｌ０＋Ｋ１・Ｌ１＋Ｋ２・Ｌ２　（１）
　このとき重みづけ係数Ｋ０，Ｋ１，Ｋ２は、結果として得られる画素の画像情報値Ｌｘが、第１および第２の画像情報値Ｌ０，Ｌ２によって規定されるインターバルの範囲内に位置するように選択され、第３の重みづけ係数Ｋ１は、インターバル限界との数学的距離に依存して選択され、図２では、第３の画像情報値Ｌ１から、第２の画像情報値Ｌ２によって規定される上側のインターバル限界までの距離に符号Ａが付されている。
【００１９】
　第１の画像情報値Ｌ０と第２の画像情報値Ｌ２は均等に重みづけされるのが好ましく、その場合、補間されるべき中間画素Ｐｘの画像情報値Ｌｘについては次式が成り立つ：
Ｌｘ＝（１−Ｋ１）・（Ｌ０＋Ｌ２）／２＋Ｋ１・Ｌ１　（２）
　第１の画素Ｌ０と第２の画素Ｌ２から得られる、画像情報値Ｌｘに占める割合は、１と、第３の重みづけ係数Ｋ１との差から得られる重みづけ係数（１−Ｋ１）を乗算した画像情報値Ｌ０，Ｌ２の、図２に図示している平均値Ｍに相当しており、画像情報値Ｌ０，Ｌ１，Ｌ２が乗算されるすべての重みづけ係数Ｋ０，Ｋ１，Ｋ２の合計は、常に１である。
　この場合、補間される画素Ｐｘの画像情報値Ｌｘが、Ｌ０とＬ１によって規定されるインターバルの範囲内に位置し、かつ重みづけ係数について０≦Ｋ１≦１が成立するためには、次の不等式が満たされなくてはならない：
｜（１−Ｋ１）・Ｍ＋Ｋ１・Ｌ１−Ｍ｜　≦　｜（Ｌ０−Ｌ２）／２｜　（３）
　したがって第３の重みづけ係数Ｋ１については、第１および第２の画像情報値Ｌ０，Ｌ２を等しく重みづけした場合、次式が成り立つ：
Ｋ１　≦　｜（Ｌ０−Ｌ２）｜／２・｜Ｌ１−Ｍ｜　（４）
【００２０】
　図８は、上記の不等式に基づく第３の重みづけ係数Ｋ１の上側の限界値の推移を示しており、図８に示すグラフでは、第３の画像情報値Ｌ１が画像情報値Ｌ０およびＬ２によって規定されるインターバルの範囲内にある場合、第３の重みづけ係数が１に設定されている。つまり図８には次式が示されている：
［Ｌ０；Ｌ１］の範囲内のＬ１については、　Ｋ１＝１　（５．１）
［Ｌ０；Ｌ１］の範囲外のＬ１については、
　　Ｋ１　≦　｜（Ｌ０−Ｌ２）｜／２・｜Ｌ１−Ｍ｜　（５．２）
　第３の画像情報値Ｌ１が、画像情報値Ｌ０およびＬ２によって規定されるインターバルの範囲外にある場合に、第３の重みづけ係数Ｋ１が式（５．２）に掲げる値と等しく設定されて選択されると、結果として生じる画像情報値Ｌｘは、第３の画像情報値Ｌ１にもっとも近いインターバル限界に位置することになる。第３の画像情報値Ｌ１がこのインターバルの範囲内にあれば、後でまた説明するように、重みづけ係数は値１だけでなく、その他の値もとることができる。
【００２１】
　第３の重みづけ係数Ｋ１は、式（４）ないし式（５．２）に掲げる限界値よりもはるかに小さくなるように選択されるのが好ましく、そのために、第３の重みづけ係数Ｋ１の値については、たとえば不等式（４）または式（５．２）の右辺の２乗を用いるか、または右辺で分母を２乗する。
【００２２】
　画像情報値Ｌ０およびＬ２が等しく重みづけされない場合には、結果として生じる画素Ｌｘがインターバル限界に位置するようにするため、または上側のインターバル限界［Ｌ０；Ｌ２］の間のインターバルの範囲内に位置するようにするために、重みづけ係数Ｋ１について次式が成り立たなくてはならない：
Ｋ１　≦　（Ｍ−（Ｋ０・Ｌ０＋Ｋ２・Ｌ２）±０，５・｜（Ｌ０−Ｌ２）｜）／Ｌ１　　　　　　　　　　　　　　　　　　　　　　　　　　　　　　　　　　　　　（６）
　式０，５・｜（Ｌ０−Ｌ２）｜の前をプラス記号にすると、その結果として生じる画像情報値Ｌｘは平均値よりも大きくなり、この式の前をマイナス記号にすると、その結果として生じる画像情報値は平均値よりも小さくなる。
　重みづけ係数Ｋ１は、式（６）の右側部分に掲げる式よりもはるかに小さいのが好ましい。
【００２３】
　図３は、選択装置１０を有する、本発明の方法を実施する装置を示しており、この選択装置には画像信号Ｓ（ｔ）が供給され、選択装置はこの画像信号から画像情報値Ｌ０，Ｌ１，Ｌ２をフィルタアウトして出力部に送る。画像情報値Ｌ０，Ｌ１，Ｌ２は分析装置２０に供給され、この分析装置は画像情報値Ｌ０，Ｌ１，Ｌ２から重みづけ係数Ｋ０，Ｋ１，Ｋ２を生成し、画像情報値Ｌ０，Ｌ１，Ｌ２と、分析装置２０によって算出された重みづけ係数Ｋ０，Ｋ１，Ｋ２とは混合装置３０に供給され、この混合装置は、第１の画像情報値Ｌ０を第１の重みづけ係数Ｋ０で重みづけし、第２の画像情報値Ｌ２を第２の重みづけ係数Ｋ２で重みづけし、第３の画像情報値Ｌ１を第３の重みづけ係数Ｋ１で重みづけし、重みづけされたそれぞれの画像情報値を加算することによって、画像情報値Ｌｘを算出する。
【００２４】
　図４は、本発明の方法を実施する別の実施形態を示しており、この装置では、本発明による混合法が２段階で実施される。画像情報値Ｌ０，Ｌ１，Ｌ２は、この装置では分析装置２１に供給される。第１の画像情報値Ｌ０と第２の画像情報値Ｌ２は第１の混合装置３３に供給され、第１の混合装置３３の出力部に印加される中間画像情報値Ｌｚと、第３の画像情報値Ｌ１とが、第２の混合装置３２に供給される。分析装置２１は、画像情報値Ｌ０，Ｌ１，Ｌ２から、第１の混合装置３３に供給される重みづけ係数Ｋ０１と、第２の混合装置３２に供給される第２の重みづけ係数Ｋ１１とを生成する。中間画像情報値Ｌｚは、第１の画像情報値Ｌ０と第２の画像情報値Ｌ２の混合の結果として生じるものであり、重みづけ係数Ｋ０１は、たとえば、第１の画像情報値Ｌ０がどれくらいの強さで重みづけされるかを表しており、すなわち、中間画像情報値については次式が成り立つ：
Ｌｚ＝Ｋ０１・Ｌ０＋（１−Ｋ０１）・Ｌ２　（７）
【００２５】
　第２の混合装置３２に供給される重みづけ係数Ｋ１１は、第３の画像情報値Ｌ１がどれくらいの強さで重みづけされるかを規定するものであり、第２の混合装置の出力部に印加される画像情報値Ｌｘについては次式が成り立つ：
Ｌｘ＝Ｋ１１・Ｌ１＋（１−Ｋ１１）・Ｌｚ　（８）
　重みづけ係数Ｋ０１＝０，５である場合、Ｌｚは、画像情報値Ｌ０，Ｌ２の平均値Ｍに相当している。
　このとき重みづけ係数Ｋ１１は、結果として生じる画像情報値Ｌｘが、Ｌ０とＬ２によって規定されるインターバル限界の範囲内に常に位置するように生成される。
【００２６】
　図５は、図４から改変した装置を示しており、この装置では、重みづけ係数Ｋ０１およびＫ１１を生成する分析装置２２に、画像情報値Ｌ０，Ｌ２に加えて、第１の混合装置３３の出力部に印加される中間画像情報値Ｌｚも供給される。
　画像情報値Ｌ０とＬ２に依存して、第１の画像情報値Ｌ０と第２の画像情報値Ｌ２の相互の重みづけを表す重みづけ係数Ｋ０１を生成することは、たとえば、インターバル幅に依存して、この両方の画素の一方をより強く重みづけすることを可能にする。
【００２７】
　図６は、重みづけ係数Ｋ０１が画像情報値Ｌ０，Ｌ１，Ｌ２に関わりなく外部から一定に設定されてたとえば０，５となるように、図５の装置を改変した装置を示している。
【００２８】
　図７は、第３の重みづけ係数Ｋ１１に依存して、第３の画像情報値Ｌ１か、または第１および第２の画像情報値Ｌ０，Ｌ２から生成される中間画像情報値かのいずれかを出力信号Ｌｘとして出力するスイッチ３６を第２の混合装置３５が含んでいる、本発明の装置を実施する装置を示している。
【００２９】
　本発明は、画像処理に限定されるものではない。本発明は一般に、出力値と、２つの出力値に割り当てられる、それぞれ補間される中間値とを有する信号シーケンスからなる信号に応用することができる。このような種類の信号シーケンスは、たとえば、それぞれ補間された中間値が時間的または空間的に２つの出力値の間に位置する、出力シーケンスのオーバスキャンによって生じたシーケンスである。このような中間値生成のための公知の補間方法は、信号が飛躍するところで、すなわち、補間された中間値が依存する両方の出力値に大きな振幅差がある場合に、しばしば不十分な結果を生み、特に、好ましくないオーバーシュートを生成する。
【００３０】
　出力値と補間された中間値を備える信号シーケンスに、上に説明した方法を適用することは、この点への対処法を提供する。この場合、出力値の一方は第１の画像情報値に準じて処理され、出力値のもう一方が第２の画像信号値に準じて処理され、第１および第２の出力値に依存する中間値は第３の画像情報信号に準じて処理される。本発明の方法によって生成される信号値は、補間されて修正された中間値となる。
【図面の簡単な説明】
【００３１】
【図１】時間的に連続する２つのフィールドを示す模式図である。
【図２】上方に向かってプロットされている画像情報値スケールで、選択された画像情報値の位置を示すグラフである。
【図３】本発明による方法を実施するための第１の装置である。
【図４】本発明による方法を実施するための第２の装置である。
【図５】本発明による方法を実施するための第３の装置である。
【図６】本発明による方法を実施するための第４の装置である。
【図７】本発明による方法を実施するための第５の装置である。
【図８】第３の画像情報値に依存する、第３の重みづけ係数の上限の推移である。
【符号の説明】
【００３２】
　Ｐ０，Ｐ１，Ｐ２，Ｐｘ　画素
　Ｌ０，Ｌ１，Ｌ２，Ｌｘ　画像情報値
　Ｓｔ　画像信号
　１０　選択装置
　２０，２１，２２，２４　分析装置
　３０　混合装置
　３３　第１の混合装置
　３２，３５　第２の混合装置
　Ｋ１，Ｋ２，Ｋ３　重みづけ係数
　Ｋ０１，Ｋ１１　重みづけ係数
【図１】
2004056820.tif 000003
【図２】
2004056820.tif 000004
【図３】
2004056820.tif 000005
【図４】
2004056820.tif 000006
【図５】
2004056820.tif 000007
【図６】
2004056820.tif 000008
【図７】
2004056820.tif 000009
【図８】
2004056820.tif 000010